(57)【特許請求の範囲】
【請求項１】
一側の端部から他側の端部に向かい、該一側の端部と他側の端部とを結ぶ仮想軸の周囲を螺旋状の曲線を描きながら回り込むアーム部を備えた二個の半割体を備え、
前記アーム部は、前記一側の端部から中間部に至る過程で前記仮想軸から遠ざかる方向に伸び、中間部を経て前記他側の端部に至る過程で前記仮想軸に近づく形状を有するひねり部を備えており、
前記二個の半割体同士を対称に組み合わせることにより、バスケット様の形状をなすよう構成されていることを特徴とする装飾用建材。
【請求項２】
前記アーム部は、前記一側の端部から中間部に至る過程で前記仮想軸から遠ざかる方向に拡がりながら複数のひねり部に枝分かれし、中間部を経て前記他側の端部に至る過程で前記仮想軸に近づく方向に収斂しつつ再度合流する形状を有しており、
前記各ひねり部は、一個の前記半割体を前記仮想軸に直交する断面で平面視した場合に、別の前記ひねり部と前記仮想軸を挟んで対向しないよう配置されていることを特徴とする請求項１に記載の装飾用建材。
【請求項３】
平面視において、一方の前記半割体の前記アーム部の一側の端部と、前記仮想軸と、前記一側の端部において対向する他方の前記半割体の前記アーム部の他側の端部とを結ぶ仮想線の方向を横方向とし、平面視において横方向と直交する向きを縦方向と定義した場合に、
前記ひねり部は、中間部において前記仮想軸から遠ざかる方向に拡がる際、平面視で縦方向への拡がり方が横方向への拡がり方よりも小さいことを特徴とする請求項１又は２に記載の装飾用建材。
【請求項４】
前記一側の端部に雄型である係合突起を備え、前記他側の端部に雌型である係合孔を備え、前記係合突起を前記係合孔に挿入することにより前記係合突起と前記係合孔とを係合させ、前記二個の半割体同士を組み合わせるよう構成されていることを特徴とする請求項１〜３のいずれか一項に記載の装飾用建材。
【請求項５】
前記係合突起及び前記係合孔は、前記仮想軸に沿った軸を有しており、前記二個の半割体同士を組み合わせた際に互いに前記仮想軸に沿って回転しないよう、円形以外の断面を有していることを特徴とする請求項４に記載の装飾用建材。
【請求項６】
前記一側の端部又は前記他側の端部のいずれか一方における前記アーム部の前記仮想軸と対向する裏部分に、前記一側の端部又は前記他側の端部の他方における前記アーム部の裏部分のなす面に沿った形状に形成された合わせ面を有する合わせ部を備えたことを特徴とする請求項１〜４のいずれか一項に記載の装飾用建材。
【請求項７】
前記一側の端部及び前記他側の端部の各々における前記アーム部の前記仮想軸と対向する裏部分に、前記二個の半割体同士を組み合わせた際に互いに対向する合わせ面を有する合わせ部を備えたことを特徴とする請求項１〜４のいずれか一項に記載の装飾用建材。
【請求項８】
前記一側の端部における前記アーム部の前記仮想軸と対向する裏部分に、前記他側の端部における前記アーム部の裏部分のなす面に沿った形状に形成された合わせ面を有する合わせ部を備えたことを特徴とする請求項５に記載の装飾用建材。
【請求項９】
前記ひねり部は、前記仮想軸と対向する裏部分を平らな形状とし、前記仮想軸と対向しない表部分を凸な形状とすることを特徴とする請求項１〜８のいずれか一項に記載の装飾用建材。
【発明の詳細な説明】
【技術分野】
【０００１】
本発明は、建造物等において各所の装飾に用いられる建材に関する。
【背景技術】
【０００２】
建造物の手摺子等に用いられる装飾用建材として、バスケットと呼ばれるデザインのものが古くから知られている（例えば、下記非特許文献１参照）。こうした形状は、建造物の美観を高める目的で、例えば階段やベランダ等の手摺りを構成する手摺り子の途中や、手摺りの支柱の上部といった箇所に配置されたり、門扉や柵等の装飾に用いられたりする。
【先行技術文献】
【非特許文献】
【０００３】
【非特許文献１】レッキーメタル  パーツカタログ［ｏｎｌｉｎｅ］http://www.lecky.co.jp/cms/wp-content/themes/lecky/pdf/vol4/28.pdf
【発明の概要】
【発明が解決しようとする課題】
【０００４】
一般的に、この種の形状は、ロートアイアンと呼ばれる伝統的な技法により作られるもので、複数の鉄製の棒材を束ね、両端を支持しながら熱を加え、ひねりつつ屈曲させることで形成される。
【０００５】
こうした形状は、鉄であれば比較的容易に形成することができるが、他の材料、例えばアルミで同じように形成することは難しい。鉄と比べて靭性が低く、ひねりや曲げに対して弱いからである。
【０００６】
そこで、こういったひねりや曲げのある形状をアルミで形成しようとする場合には、ダイカスト等の方法により鋳造することが一案として考えられる。しかしながら、上述の如きバスケット形状の場合、螺旋状の棒材で形成され、且つ中央に中空の部分を有する複雑な構造のため、単純な方法では鋳造できない。バスケット形状を鋳造により実現しようとすれば、型割が非常に複雑なものとなってしまい、金型の製造コストが嵩むと共に鋳造工程に大幅な手間がかかってしまうことが避けられなかった。
【０００７】
本発明は、斯かる実情に鑑み、ロートアイアンによらず低コストでバスケット様の形状を実現し得る装飾用建材を提供しようとするものである。
【課題を解決するための手段】
【０００８】
本発明は、一側の端部から他側の端部に向かい、該一側の端部と他側の端部とを結ぶ仮想軸の周囲を螺旋状の曲線を描きながら回り込むアーム部を備えた二個の半割体を備え、前記アーム部は、前記一側の端部から中間部に至る過程で前記仮想軸から遠ざかる方向に伸び、中間部を経て前記他側の端部に至る過程で前記仮想軸に近づく形状を有するひねり部を備えており、前記二個の半割体同士を対称に組み合わせることにより、バスケット様の形状をなすよう構成されていることを特徴とする装飾用建材にかかるものである。
【０００９】
而して、このようにすれば、互いに対称に配置された二個の半割体のアーム部により、バスケット様の形状を実現することができる。
【００１０】
本発明の装飾用建材において、前記アーム部は、前記一側の端部から中間部に至る過程で前記仮想軸から遠ざかる方向に拡がりながら複数のひねり部に枝分かれし、中間部を経て前記他側の端部に至る過程で前記仮想軸に近づく方向に収斂しつつ再度合流する形状を有しており、前記各ひねり部は、一個の前記半割体を前記仮想軸に直交する断面で平面視した場合に、別の前記ひねり部と前記仮想軸を挟んで対向しないよう配置されていることが好ましく、このようにすれば、二個の半割体同士を組み合わせるにあたり、一方の半割体のひねり部が、他方の半割体のひねり部と干渉せず、バスケット様の形状を確実に実現することができる。
【００１１】
本発明の装飾用建材においては、平面視において、一方の前記半割体の前記アーム部の一側の端部と、前記仮想軸と、前記一側の端部において対向する他方の前記半割体の前記アーム部の他側の端部とを結ぶ仮想線の方向を横方向とし、平面視において横方向と直交する向きを縦方向と定義した場合に、前記ひねり部は、中間部において前記仮想軸から遠ざかる方向に拡がる際、平面視で縦方向への拡がり方が横方向への拡がり方よりも小さいことが好ましく、このようにすれば、視点の位置による変化を外観にもたらし、美観を向上すると共に、装飾用建材としての使い勝手も向上させることができる。また、半割体を鋳造する際の型抜きをも容易にし得る。
【００１２】
本発明の装飾用建材においては、前記一側の端部に雄型である係合突起を備え、前記他側の端部に雌型である係合孔を備え、前記係合突起を前記係合孔に挿入することにより前記係合突起と前記係合孔とを係合させ、前記二個の半割体同士を組み合わせるよう構成されていることが好ましく、このようにすれば、半割体同士を組み合わせる際の位置決めを容易にすることができる。
【００１３】
本発明の装飾用建材において、前記係合突起及び前記係合孔は、前記仮想軸に沿った軸を有しており、前記二個の半割体同士を組み合わせた際に互いに前記仮想軸に沿って回転しないよう、円形以外の断面を有していることが好ましく、このようにすれば、半割体同士を組み合わせる際の位置決めを一層容易にし得ると共に、半割体同士の位置ずれを防止することができる。
【００１４】
本発明の装飾用建材においては、前記一側の端部又は前記他側の端部のいずれか一方における前記アーム部の前記仮想軸と対向する裏部分に、前記一側の端部又は前記他側の端部の他方における前記アーム部の裏部分のなす面に沿った形状に形成された合わせ面を有する合わせ部を備えることができ、このようにすれば、二個の半割体同士を組み合わせた状態において裏部分のなす曲面同士が連続するような外観を付与して美観に貢献し得ると共に、半割体同士の位置ずれをも防止することができる。
【００１５】
本発明の装飾用建材においては、前記一側の端部及び前記他側の端部の各々における前記アーム部の前記仮想軸と対向する裏部分に、前記二個の半割体同士を組み合わせた際に互いに対向する合わせ面を有する合わせ部を備えることができ、このようにすれば、二個の半割体同士を組み合わせた状態において裏部分のなす曲面同士が連続するような外観を付与して美観に貢献し得る。
【００１６】
本発明の装飾用建材においては、前記一側の端部における前記アーム部の前記仮想軸と対向する裏部分に、前記他側の端部における前記アーム部の裏部分のなす面に沿った形状に形成された合わせ面を有する合わせ部を備えることができ、このようにすれば、二個の半割体同士を組み合わせた状態において裏部分のなす曲面同士が連続するような外観を付与して美観に貢献し得ると共に、半割体同士の位置ずれをも防止することができる。
【００１７】
本発明の装飾用建材においては、前記ひねり部は、前記仮想軸と対向する裏部分を平らな形状とし、前記仮想軸と対向しない表部分を凸な形状とすることが好ましく、このようにすれば、装飾用建材全体として美観に優れたデザインとすることができると共に、半割体を鋳造する際の型抜きを容易にすることができる。
【発明の効果】
【００１８】
本発明の装飾用建材によれば、ロートアイアンによらず低コストでバスケット様の形状を実現し得るという優れた効果を奏し得る。
【図面の簡単な説明】
【００１９】
【図１】本発明の第一実施例による装飾用建材の半割体の形状を示す正面図である。
【図２】本発明の第一実施例による装飾用建材の半割体の形状を示す平面図である。
【図３】本発明の第一実施例による装飾用建材の半割体の形状を示す側面図である。
【図４】本発明の第一実施例による装飾用建材の半割体の形状を示す斜視図である。
【図５】本発明の第一実施例による装飾用建材の半割体の要部の形状を示す断面図であり、図１のＶ−Ｖ矢視相当図である。
【図６】本発明の第一実施例による装飾用建材の半割体の要部の形状を示す断面図であり、図１のＶＩ−ＶＩ矢視相当図である。
【図７】本発明の装飾用建材の参考例を示す断面図である。
【図８】半割体同士を組み合わせた状態の本発明の第一実施例による装飾用建材の形状を示す正面図である。
【図９】半割体同士を組み合わせた状態の本発明の第一実施例による装飾用建材の形状を示す平面図である。
【図１０】半割体同士を組み合わせた状態の本発明の第一実施例による装飾用建材の形状を示す側面図である。
【図１１】半割体同士を組み合わせた状態の本発明の第一実施例による装飾用建材の形状を示す斜視図である。
【図１２】半割体同士を組み合わせた状態の本発明の第一実施例による装飾用建材の要部の形状を示す断面図であり、図８のＸＩＩ−ＸＩＩ矢視相当図である。
【図１３】本発明の第一実施例による装飾用建材の半割体の別の形状を示す正面図である。
【図１４】本発明の第一実施例による装飾用建材の半割体のさらに別の形状を示す正面図である。
【図１５】本発明の第二実施例における半割体の形状を示す正面図である。
【図１６】本発明の第二実施例における半割体の要部の形状を示す断面図であり、図１５のＸＶＩ−ＸＶＩ矢視相当図である。
【図１７】本発明の装飾用建材の別の参考例を示す断面図である。
【図１８】本発明の第三実施例における半割体の形状を示す正面図である。
【発明を実施するための形態】
【００２０】
以下、本発明の実施の形態を添付図面を参照して説明する。
【００２１】
図１〜図６及び図８〜図１４は本発明の実施による装飾用建材の形態の一例を示すものである。本実施例の装飾用建材は、同一の形状の二個の半割体１を一組とし、二個の半割体１同士を組み合わせることで一個のバスケット様の形状をなすようになっている。
【００２２】
一個の半割体１は、図１〜図４に示す如く、一側の端部２から他側の端部３に向かい、アーム部４が両端部２，３を結ぶ仮想軸Ｌの周囲を螺旋状の曲線を描いて回り込むように伸び、一側の端部２と他側の端部３とを繋いだ形状に構成されている。
【００２３】
本実施例では、このアーム部４は、両端で合流する二本の棒状のひねり部４ａ，４ｂを備えて構成される。アーム部４は、図２に示す如く、半割体１を仮想軸Ｌの方向から眺めた場合に、一側の端部２（図２中、奥側に位置）をアーム部４の起点とすると、他側の端部３（図２中、手前側に位置）においては、前記起点とは仮想軸Ｌに関して反対側に終点を有している。すなわち、アーム部４は、起点である一側の端部２から、終点である他側の端部３に至る間に、仮想軸Ｌの周囲を半周する形である。そして、一側の端部２から中間部に至る過程で、仮想軸Ｌから遠ざかる方向に拡がりながら二本のひねり部４ａ，４ｂに枝分かれし、中間部を経て他側の端部３に至る過程で仮想軸Ｌに近づく方向に収斂しつつ再度合流する形状となっている。このように、仮想軸Ｌの周囲を回り込みながら仮想軸Ｌに沿った方向にも延びることで、アーム部４ないし各ひねり部４ａ，４ｂは、全体として正面視で図１に示す如き滑らかなＳ字形の曲線をなしている。
【００２４】
尚、ここで、各ひねり部４ａ，４ｂは、中間部において仮想軸Ｌから遠ざかる方向に拡がる際、図２に示す如く、平面視で縦方向への拡がり方が横方向への拡がり方よりも小さく、アーム部４全体として平面視で縦方向に潰れた略楕円形の形状をなしている。このような形状は、伝統的なロートアイアンでは実現することが困難であり、且つ実用上の利点も多いものである（詳細は後述する）。
【００２５】
また、各ひねり部４ａ，４ｂは、図５、図６に示す如く、仮想軸Ｌに対向する内側の面（以下、この面をアーム部４ないしひねり部４ａ，４ｂの裏部分５と称する）が平らで、仮想軸Ｌに対向しない外側の面（以下、この面をアーム部４ないしひねり部４ａ，４ｂの表部分６と称する）が凸な形状に構成されている。本実施例の場合、ひねり部４ａ，４ｂは、中央部周辺では図５に示す如く、表部分６が略円弧状をなす蒲鉾状の断面形状であるが、両端部２，３付近では図６に示す如く、表部分６に頂点のひとつを有する略三角形状の断面形状をとっている。このように、本実施例では、ひねり部４ａ，４ｂは部分ごとに断面形状が連続的に変化する曲線的な形状に構成されている。
【００２６】
また、各ひねり部４ａ，４ｂは、仮想軸Ｌと直交する面に沿った断面を視た場合に、一方のひねり部４ａと他方のひねり部４ｂとが仮想軸Ｌを挟んで互いに対向しないように配置されている。これは、二個の半割体１同士を組み合わせる際に、一方の半割体１のひねり部４ａ，４ｂが、他方の半割体１のひねり部４ａ，４ｂと干渉しないための配置である。例えば図７に示す如く、一個の半割体１において、二本のひねり部４ａ，４ｂが互いに対向するような配置となっていた場合には、二個の半割体１同士を組み合わせようとしても、一方の半割体１のひねり部４ａと他方の半割体１のひねり部４ｂとが干渉してしまい、組み合わせることが不可能となってしまう場合が想定されるのである。しかも、図７に示す如き配置では、半割体１を鋳造により製造しようとした場合、型割が複雑にもなってしまう。
【００２７】
また、図４に示す如く、一側の端部２には、二個の半割体１同士を組み合わせる際に雄型となる係合突起２ａが形成され、他側の端部３には、雄型である係合突起２ａに対する雌型となる係合孔３ａが形成されている。係合突起２ａと係合孔３ａは、仮想軸Ｌに沿った軸を有しており、係合した際に互いに自由に回転し、半割体１同士が位置ずれしないよう、仮想軸Ｌに直交する断面が円形以外の形状となるように形成されている。本実施例では係合突起２ａ及び係合孔３ａの断面をＤ形としているが、これ以外の形状、例えば多角形状としても良い。
【００２８】
さらに、一側の端部２においては、アーム部４の裏部分５から突出するように合わせ部７が形成されている。この合わせ部７のうち、アーム部４の裏部分５と反対側の面（以下、この面を合わせ面７ａと称する）は、アーム部４の他側の端部３における裏部分５のなす面に沿った形状に形成されている。すなわち、合わせ部７は、一方の半割体１を他方の半割体１と組み合わせた際、該他方の半割体１の他側の端部３におけるアーム部４の裏部分５に、一方の半割体１の合わせ部７の合わせ面７ａが合わさるようになっている。
【００２９】
図８〜図１２は、上述の本実施例による半割体１を二個組み合わせて構成した装飾用建材を示すものである。ここに示す如く、本実施例の装飾用建材は、二個の半割体１の仮想軸Ｌ同士を重ね合わせ、且つアーム部４，４同士が互いに仮想軸Ｌに直交する軸に関して対称に配置されるよう組み合わせることにより、一個のバスケット様の形状をなすようになっている。
【００３０】
二個の半割体１同士を組み合わせるにあたっては、一個の半割体１に対し、もう一個の半割体１を上下方向に反転させ、互いの一側の端部２に備えた係合突起２ａを、相手の他側の端部３に備えた係合孔３ａに挿入し、係合突起２ａと係合孔３ａとを互いに係合する。この際、上述の如く、半割体１を構成するアーム部４は、仮想軸Ｌの周囲を半周しつつ、一側の端部２から他側の端部３に至る形状であり、一側の端部２におけるアーム部４の起点と、他側の端部３におけるアーム部４の終点は、仮想軸Ｌに関して反対側に位置している。すなわち、一方の半割体１の一側の端部２に、他方の半割体１の他側の端部３を係合する際には、一方の半割体１の一側の端部２におけるアーム部４の起点と、他方の半割体１の他側の端部３におけるアーム部４の終点とが、仮想軸Ｌを挟んで対峙する形となる。
【００３１】
このとき、係合突起２ａと係合孔３ａが位置決めとなり、半割体１同士を互いに正しい位置で組み合わせることが容易となっている。しかも、係合突起２ａ及び係合孔３ａは上述の如く断面がＤ型となっているので、係合突起２ａと係合孔３ａとが係合した状態で互いに仮想軸Ｌの周囲を自由に回転することを防止し、半割体１同士の位置ずれを防ぐと共に、係合の際の目印になり、位置決めを一層容易にする役割も果たす。そして、二個の半割体１同士を係合した後、例えば係合突起２ａを図示しない別の台座等に固定することにより、二個の半割体１同士を組み合わせたバスケット様の装飾用建材として、建造物各所の装飾に利用することができる。
【００３２】
本実施例の如き装飾用建材は、従来のロートアイアンによるバスケット形状のものと同様に使用することができるが、種々の点で従来のものと比較して優れた点を挙げることができる。
【００３３】
上述の如く、各ひねり部４ａ，４ｂは、中間部の拡がった部分において、平面視で縦方向への拡がり方が横方向への拡がり方よりも小さくなっている（図２参照）。これにより、二個の半割体１同士を組み合わせた際にも、図９に示す如く、全体として前後方向に潰れた略楕円形の形状をなすようになっている。
【００３４】
このようにすると、従来のバスケット形状と比較して、視点の位置により外観に変化が生じやすい。すなわち、各ひねり部４ａ，４ｂ同士の間に生じる隙間の形状が一様ではないので、図８に示す如く正面から見た場合と、図１０に示す如く側面から見た場合、さらに図１１に示す如く斜め方向から見た場合とで、見え方が大きく変わるのである。このように、本実施例の装飾用建材のバスケット様の形状は、従来のバスケット形状と比較して角度により多様な形態を見せ、見る者に対し非常に優雅な印象を与えるものである。
【００３５】
このような美観上の利点に加え、実用的な利点もある。本実施例の装飾用建材を門扉や柵、手摺り子等に使用する場合、ひねり部４ａ，４ｂの拡がり方の大きい向きを前記門扉や柵、手摺り子のなす面に沿わせるように配置することにより、前記門扉や柵、手摺り子のなす面からの張り出しが小さくなるので、前記門扉や柵、手摺り子に対する装飾的効果を持たせながらも、装飾用建材としての使い勝手をも向上させることになる。また、半割体１全体としての厚みを薄くすることにより、半割体１を鋳造により製造する際、型抜きのしやすい形状ともなっている。
【００３６】
また、本実施例の場合、上述の如く、各半割体１の各ひねり部４ａ，４ｂが、平らな裏部分５と凸な形状の表部分６を有する形状に形成されている（図５、図６及び図１２参照）。このような断面形状は、各ひねり部４ａ，４ｂを単純な角棒や丸棒形状とした場合と比較して各ひねり部４ａ，４ｂ自体の美観を大きく向上させていることは勿論である（しかも、ひねり部４ａ，４ｂは部分ごとに断面形状が連続的に変化する曲線的な形状に構成された非常に優美なデザインである）が、このひねり部４ａ，４ｂの形状は、バスケット様形状全体としての美観にも貢献している。
【００３７】
すなわち、二個の半割体１によりバスケット様の形状を構成する場合には、各アーム部４，４を構成する計四本のひねり部４ａ，４ｂにより、その内側に回転楕円体を潰したような形状の空間が形成されるが、本実施例では、各ひねり部４ａ，４ｂの裏部分５に平らな面を有することにより、前記空間の形状が強調される。これにより、バスケット様の形状を構成する曲線の流れが見る者にとって把握しやすく、流麗な印象を抱かせるようになっている。
【００３８】
半割体１同士の係合の際には、上述の如く、一方の半割体１の一側の端部２に形成された合わせ部７の合わせ面７ａが、他方の半割体１の他側の端部３におけるアーム部４の裏部分５に合わさるようになっている。この合わせ部７は、互いの端部２，３において対向するアーム部４同士の隙間を埋めるように配置される。このため、両半割体１，１のアーム部４，４の裏部分５，５がなす曲面が、両端部２，３において合わせ部７により橋渡しされ、前記裏部分５，５のなす曲面同士が連続するような外観を付与することができる。したがって、計四本のひねり部４ａ，４ｂがなす前記空間の形状を一層強調し、見る者に対してもたらす流麗な印象を強めることができる。また、一方の半割体１の合わせ面７ａが他方の半割体１の裏部分５と合わさることで、上述の係合突起２ａ及び係合孔３ａのＤ形の断面形状と同様、半割体１同士の位置ずれを防止する回り止めとしても機能するようになっている。
【００３９】
尚、係合突起２ａ及び係合孔３ａが図１〜図４ないし図８〜図１１に示したような構成を取る場合、合わせ部７は、雌型である係合孔３ａを備えた他側の端部３ではなく、雄型である係合突起２ａを備えた一側の端部２に形成すると、係合突起２ａと係合孔３ａとの係合に際し支障がない。ただし、係合突起２ａや係合孔３ａの構成によっては、合わせ部７を一側の端部２又は他側の端部３のいずれに備えることもできる場合もある。例えば、図１３に示す如く、係合突起２ａ及び係合孔３ａが仮想軸Ｌと直交する軸を有して構成されている場合には、合わせ部７は一側の端部２と他側の端部３のいずれに備えても支障はない。あるいは、係合突起２ａや係合孔３ａを備えずに半割体１を構成することも可能であり、この場合も、合わせ部７を端部２又は端部３のいずれに備えても良い。
【００４０】
また、図１４に示す如く、合わせ部７を一側の端部２と他側の端部３の両方に備え、二個の半割体１同士を組み合わせる際に、一側の端部２と他側の端部３双方の合わせ部７が互いに対合するよう構成することもできる。この場合、図１や図１３に記載した形状と比較すると、合わせ部７が一側の端部２と他側の端部３との間で分割された形状となり、合わせ面７ａは分割されたそれぞれの合わせ部７同士の対向する面に形成されることになる。尚、図示は省略するが、合わせ面７ａに前記係合突起２ａや係合孔３ａに相当する構造を備えるようにしても良い。
【００４１】
このように、本実施例の装飾用建材は、二個の半割体１同士を組み合わせてバスケット様の形状をなすようになっている。そして、バスケットを半分ずつ二個に分割した形状の半割体１は、比較的単純な構造の金型を用いてアルミダイカスト等により鋳造することができる。しかも、各々の半割体１が一側の端部２に雄型である係合突起２ａを、他側の端部３に雌型である係合孔３ａをそれぞれ有しており、且つ互いのアーム部４を対称に組み合わせるようになっているので、組み合わせる二個の半割体１は互いに同一の形状である。すなわち、バスケット様の形状を構成するにあたり、半割体１の製造に要する金型は一種類で済む。
【００４２】
この際、アーム部４を構成するひねり部４ａ，４ｂは、上述の如く平らな裏部分５と凸な形状の表部分６を有する形状に形成されているので（図５、図６及び図１２参照）、型抜きがしやすくなっている。
【００４３】
以上のように、上記本第一実施例においては、一側の端部２から他側の端部３に向かい、該一側の端部２と他側の端部３とを結ぶ仮想軸Ｌの周囲を螺旋状の曲線を描きながら回り込むアーム部４を備えた二個の半割体１を備え、アーム部４は、一側の端部２から中間部に至る過程で仮想軸Ｌから遠ざかる方向に伸び、中間部を経て他側の端部３に至る過程で仮想軸Ｌに近づく形状を有するひねり部４ａ，４ｂを備えており、二個の半割体１同士を対称に組み合わせることにより、バスケット様の形状をなすよう構成されているので、互いに対称に配置された二個の半割体１のアーム部４により、バスケット様の形状を実現することができる。
【００４４】
また、本第一実施例において、アーム部４は、一側の端部２から中間部に至る過程で仮想軸Ｌから遠ざかる方向に拡がりながら複数のひねり部４ａ，４ｂに枝分かれし、中間部を経て他側の端部３に至る過程で仮想軸Ｌに近づく方向に収斂しつつ再度合流する形状を有しており、各ひねり部４ａ，４ｂは、一個の半割体１を仮想軸Ｌに直交する断面で平面視した場合に、別のひねり部４ａ，４ｂと仮想軸Ｌを挟んで対向しないよう配置されているので、二個の半割体１同士を組み合わせるにあたり、一方の半割体１のひねり部４ａ，４ｂが、他方の半割体１のひねり部４ａ，４ｂと干渉せず、バスケット様の形状を確実に実現することができる。
【００４５】
また、本第一実施例において、ひねり部４ａ，４ｂは、中間部において仮想軸Ｌから遠ざかる方向に拡がる際、平面視で縦方向への拡がり方が横方向への拡がり方よりも小さいので、視点の位置による変化を外観にもたらし、美観を向上すると共に、装飾用建材としての使い勝手も向上させることができる。また、半割体１を鋳造する際の型抜きをも容易にし得る。
【００４６】
また、本第一実施例においては、一側の端部２に雄型である係合突起２ａを備え、他側の端部３に雌型である係合孔３ａを備え、係合突起２ａを係合孔３ａに挿入することにより係合突起２ａと係合孔３ａとを係合させ、二個の半割体１同士を組み合わせるよう構成されているので、半割体１同士を組み合わせる際の位置決めを容易にすることができる。
【００４７】
また、本第一実施例において、係合突起２ａ及び係合孔３ａは、仮想軸Ｌに沿った軸を有しており、二個の半割体１同士を組み合わせた際に互いに仮想軸Ｌに沿って回転しないよう、円形以外の断面を有しているので、半割体１同士を組み合わせる際の位置決めを一層容易にし得ると共に、半割体１同士の位置ずれを防止することができる。
【００４８】
また、本第一実施例においては、一側の端部２又は他側の端部３のいずれか一方におけるアーム部４の仮想軸Ｌと対向する裏部分５に、一側の端部２又は他側の端部３の他方におけるアーム部４の裏部分５のなす面に沿った形状に形成された合わせ面７ａを有する合わせ部７を備えることができ、このようにすれば、二個の半割体１同士を組み合わせた状態において裏部分５，５のなす曲面同士が連続するような外観を付与して美観に貢献し得ると共に、半割体１同士の位置ずれをも防止することができる。
【００４９】
また、本第一実施例においては、一側の端部２及び他側の端部３の各々におけるアーム部４の仮想軸Ｌと対向する裏部分５に、二個の半割体１同士を組み合わせた際に互いに対向する合わせ面７ａを有する合わせ部７を備えることができ、このようにすれば、二個の半割体１同士を組み合わせた状態において裏部分５，５のなす曲面同士が連続するような外観を付与して美観に貢献し得る。
【００５０】
また、本第一実施例においては、一側の端部２におけるアーム部４の仮想軸Ｌと対向する裏部分５に、他側の端部３におけるアーム部４の裏部分５のなす面に沿った形状に形成された合わせ面７ａを有する合わせ部７を備えているので、二個の半割体１同士を組み合わせた状態において裏部分５，５のなす曲面同士が連続するような外観を付与して美観に貢献し得ると共に、半割体１同士の位置ずれをも防止することができる。
【００５１】
また、本第一実施例においては、ひねり部４ａ，４ｂは、仮想軸Ｌと対向する裏部分５を平らな形状とし、仮想軸Ｌと対向しない表部分６を凸な形状としているので、装飾用建材全体として美観に優れたデザインとすることができると共に、半割体１を鋳造する際の型抜きを容易にすることができる。
【００５２】
したがって、上記本第一実施例によれば、ロートアイアンによらず低コストでバスケット様の形状を実現し得る。
【００５３】
図１５は本発明の装飾用建材の別の実施例（第二実施例）による半割体１の形状を示すものである。本第二実施例の半割体１では、アーム部４が４ａ，４ｂ，４ｃの計三本のひねり部を備えて構成されている。このように、本発明の装飾用建材では、必要な強度を確保できる限りにおいてひねり部の本数は適宜増減することができる。勿論、一個の半割体１が有するひねり部の数をこれより更に増やし、四本以上としても良い。
【００５４】
尚、このようにひねり部の数を増やした場合も、上記第一実施例（図５参照）と同様、ひねり部同士が仮想軸Ｌを挟んで対向しないように配置する必要がある。本第二実施例においても、図１６に示す如く、ひねり部４ａ，４ｂ，４ｃは仮想軸Ｌに関して平面視で一方の側に配列しており、ひねり部４ａ，４ｂ，４ｃは、いずれも別のひねり部と仮想軸Ｌを挟んで対向しない配置になっている。例えば図１７に示す如く、ひねり部４ａがひねり部４ｂやひねり部４ｃと仮想軸Ｌを挟んで対向している場合には、二個の半割体１同士を組み合わせようとしても、一方の半割体１のひねり部４ａが他方の半割体１のひねり部４ｂ，４ｃと干渉してしまい、組み合わせることができない場合が想定される。また、この配置では鋳造の際の型割も複雑になってしまう。
【００５５】
図１８は、本発明の装飾用建材のさらに別の実施例（第三実施例）による半割体１の形状を示すものである。ここに示す如く、半割体１が備えるひねり部の本数を一本とすることも可能である。ここに図示したひねり部４ａは、上記第一実施例（図１参照）や第二実施例（図１５参照）のひねり部４ａ，４ｂあるいは４ａ，４ｂ，４ｃと比較して幅広の形状としているが、このように、ひねり部の形状ないし大きさは適宜変更することができる。本発明の装飾用建材では、半割体１を鋳造により製造することができるため、ひねり部の形状に関して自由度が高いのである。
【００５６】
尚、本発明の装飾用建材は、上述の実施例にのみ限定されるものではなく、素材としてはアルミに限らず鉄やその他の金属、あるいは樹脂や木材等、種々の材料を用い得ること、製造についても鋳造以外に種々の方法で行い得ること、その他、本発明の要旨を逸脱しない範囲内において種々変更を加え得ることは勿論である。
【符号の説明】
【００５７】
１    半割体
２    端部（一側の端部）
２ａ  係合突起
３    端部（他側の端部）
３ａ  係合孔
４    アーム部
４ａ  ひねり部
４ｂ  ひねり部
４ｃ  ひねり部
５    裏部分
６    表部分
７    合わせ部
７ａ  合わせ面
Ｌ    仮想軸
【図１】
0006660739.tif 000002
【図２】
0006660739.tif 000003
【図３】
0006660739.tif 000004
【図４】
0006660739.tif 000005
【図５】
0006660739.tif 000006
【図６】
0006660739.tif 000007
【図７】
0006660739.tif 000008
【図８】
0006660739.tif 000009
【図９】
0006660739.tif 000010
【図１０】
0006660739.tif 000011
【図１１】
0006660739.tif 000012
【図１２】
0006660739.tif 000013
【図１３】
0006660739.tif 000014
【図１４】
0006660739.tif 000015
【図１５】
0006660739.tif 000016
【図１６】
0006660739.tif 000017
【図１７】
0006660739.tif 000018
【図１８】
0006660739.tif 000019